【事件の表示】
　特願２０１２−５２３３３８「埋め込み可能なセンサデバイス及びそのようなセンサデバイスに連結可能な医薬送達デバイス」拒絶査定不服審判事件〔平成２３年　２月１７日国際公開、ＷＯ２０１１／０１８４０７、平成２５年　１月１７日国内公表、特表２０１３−５０１５３２〕について、次のとおり審決する。
【結　論】
　本件審判の請求は、成り立たない。
【理　由】
第１　手続の経緯　
　本願は，平成２２年８月５日（パリ条約による優先権主張２００９年８月８日，欧州特許庁（ＥＰ））を国際出願日とする出願であって，平成２６年７月１６日付けで拒絶理由が通知され，同年１０月１６日に手続補正がなされ，平成２７年３月２４日付けで拒絶査定がなされ，同年７月３１日に拒絶査定不服審判の請求がなされ，同時に手続補正（以下，「本件補正」という。）がなされたものである。
　
第２　本件補正についての補正の却下の決定　　
［補正の却下の決定の結論］　　
　本件補正を却下する。　　
　　　
［理由］　　
１　補正後の本願発明（下線は補正箇所を示す。）　　
　本件補正により，補正前の特許請求の範囲の請求項１は，
「　　【請求項１】
　センサデバイス（１）が，モニタリング目的のために別々に起動できるマイクロセンサ（１１，１２，１３，１４）の配置を含んでなり，人体中の生物学的物質をインビボでモニタリングするために人体の皮下に埋め込まれるセンサデバイス（１）であって，センサデバイスが，センサ配置のマイクロセンサを起動するように設計された制御機能を含んでなる制御デバイスを含んでなり，そして制御機能が１つのマイクロセンサが機能しないと判断した時点で制御機能が別のセンサを起動し，配置のマイクロセンサ（１１，１２，１３，１４）が，複数のカバー部材（２２，２４）を備えたカバーを含むケース（３）内に配列され，ここで，カバー部材の各々が，センサ（１１，１２，１３，１４）の１つの測定表面を覆っており，そして各カバー部材が，それぞれのカバー部材に隣接しているマイクロセンサを起動するために取り除かれ得るように設計されること
，および，マイクロセンサ（１１，１２，１３，１４）の各カバー部材が，電気信号によってそれぞれのカバー部材が体内の物質に対してマイクロセンサの測定表面を開くように，電気的に制御可能であること
と補正された。　　
　
　本件補正は，補正前の請求項１に係る発明を特定するために必要な事項である「各カバー部材が，それぞれのカバー部材に隣接しているマイクロセンサを起動するために取り除かれる得るように設計されること」を「各カバー部材が，それぞれのカバー部材に隣接しているマイクロセンサを起動するために取り除かれ得るように設計されること
，および，マイクロセンサ（１１，１２，１３，１４）の各カバー部材が，電気信号によってそれぞれのカバー部材が体内の物質に対してマイクロセンサの測定表面を開くように，電気的に制御可能であること
　したがって，本件補正は，特許法第１７条の２第５項第２号の特許請求の範囲の減縮を目的とするものを含む。
　そこで，本件補正後の前記請求項１に係る発明（以下「補正発明」という。）が，特許出願の際独立して特許を受けることができるものであるか（特許法第１７条の２第６項において準用する同法第１２６条第７項の規定に適合するか）について以下に検討する。
　
２　引用刊行物およびその記載事項（下線は当審で付与した。）
（１）本願の優先権主張日前に頒布され，原査定の拒絶の理由に引用された刊行物である特表２００７−５１２８５９号公報（以下，「刊行物１」という。）には，「グルコースを感知するための医療デバイス」について，図面とともに次の事項が記載されている。
　
（１−ア）
「【特許請求の範囲】
【請求項１】
二次デバイスの制御露出用デバイスであって，
  基板と，
  該基板内に設けられた複数のリザーバと，
  該リザーバのうちの１つまたはそれ以上の内部に配置された動作可能な二次デバイスと，
  該二次デバイスを該リザーバ外部の環境要素から隔離するために該リザーバの各々を覆っている，該環境要素に対して不浸透性のリザーバキャップと，
  該リザーバキャップを崩壊または浸透性化して該二次デバイスを該環境要素に露出する手段と，
  該二次デバイスを選択的に作動不能にする手段と，
を備えるデバイス。」
（１−イ）
「【技術分野】
【０００１】
  （発明の背景）
  本発明は，サブデバイス，サブコンポーネント，および／または化学物質を選択的に放出もしくは露出する手段を有する，サブデバイス，サブコンポーネント，および／または診断試薬ならびに他の化学物質の格納・保護用のリザーバを有する小型化デバイスの分野に属し，詳細には，診断用感知に適した医療デバイスの分野に属する。
・・・
【発明が解決しようとする課題】
【０００３】
  しかしながら，いくつかの場合には，リザーバが開放された後に放出または露出を中断することが望ましいであろう。例えば，
あるデバイスは，各々がグルコースオキシダーゼをベースとするセンサを収容する密集したリザーバのアレイ（例えば数十個または数百個の）を有することができる。
・・・
【０００４】
  （発明の要旨）
  埋め込み型センサのような改良された医療デバイスを提供する。
【０００５】
  一態様では，二次デバイスの制御露出用であり，二次デバイスがもはや正常に作動しなくなった場合などに，該二次デバイスを選択的に作動しないようにするかまたは作動不能にする手段を含むデバイスを提供する。一実施形態では，本デバイスは，基板と，該基板内に設けられた複数のリザーバ（例えばマイクロリザーバ）と，該リザーバのうちの１つまたはそれ以上の内部に配置された動作可能な二次デバイスと，該二次デバイスを該リザーバ外部の環境要素から隔離するために該リザーバの各々を覆っている，該環境要素に対して不浸透性のリザーバキャップと，該リザーバキャップを崩壊もしくは浸透性化して該二次デバイスを該環境要素に露出する手段と，該二次デバイスを選択的に作動不能にする手段とを備える。基板は，例えば共に結合された２つまたはそれ以上の部分を含んでいてもよく，基板を一体構造としてもよい。
【０００６】
  好ましい実施形態では，二次デバイスは，センサまたは感知要素を備える。一実施形態では，センサまたは感知要素は，グルコースセンサを備える。例えば，このセンサまたはセンサ要素は，グルコース酸化酵素を備えることができる。１つの特定の実施形態では，センサは，少なくとも１つの作用電極と，１つの対極と，該少なくとも１つの作用電極に備えられた酵素と，該酵素および該少なくとも１つの作用電極の少なくとも一部分を覆う半透膜とを備える。」
（１−ウ）
「【００２３】
  （例示的実施形態）
  （作動停止機構を有するセンサデバイス）
・・・
【００２６】
  図１および図２にはリザーバ／センサを１つだけ示しているが，
デバイス３０またはデバイス５０を備える医療デバイスは，それぞれ，数十個もしくは数百個のそのようなリザーバ／センサのアレイを備えるのが好ましい。
サを露出する機構を含むのが好ましい。有益な能動的リザーバキャップ開放機構の例は，引用により本明細書に組み込まれる，米国特許第５，７９７，８９８号，第６，５２７，７６２号，第６，４９１，６６６号および第６，５５１，８３８号，ならびにＵｈｌａｎｄらに付与された米国特許出願公開第２００４／０１２１４８６号に記載されている。」
　
（１−エ）
「【００２９】
  （保護被覆を有する
センサデバイス
・・・
【００３２】
  １つの好ましい実施形態を図４に示す。デバイス９９（例えば埋め込み型医療デバイスの一部分となろう）は，リザーバ１０３を有する基板１００を含んでおり，該リザーバ１
０３は，作用電極１０６，対極１０８，酵素１１０，およびセンサ膜１１２を含むセンサを収容している。リザーバは，電気トレース１０４ａおよび１０４ｂに接続されたリザーバキャップ１０２で覆われている。水溶性物質１１４が，リザーバキャップとセンサとの間に，保護被覆として備えられている。任意選択的に，デバイス９９は，基板内／上のセンサの下に構築されたセンサ作動停止機構（図示せず）をさらに含むことができる。
【００３３】
  別の好ましい実施形態を
図５に示す。デバイス１０９（例えば埋め込み型医療デバイスの一部分となろう）は，リザーバ１０３を有する基板１００を含んでおり，該リザーバ１０３は，作用電極１０６，対極１０８，酵素１１０，およびセンサ膜１１２を含むセンサを収容している。リザーバは，電気トレース１０４ａおよび１０４ｂに接続されたリザーバキャップ１０２で覆われている。中空のキャビティ１１８が，センサ膜の上および薄い誘電体または他の構造層１１６の下に設けられている。
リザーバキャップが崩壊される（例えば電熱焼灼によって）際に，誘電体／構造層も破壊され，機能センサが露出し，作動する。
（１−オ）
「【００４２】
  （マルチユニットセンサおよび薬物送達デバイス）
  別の態様では，埋め込み型センサ部分（またはセンサユニット）および別個の薬物送達部分（または薬物ユニット）を含む医療デバイスを提供する。薬物送達部は，埋め込み型としても，体外に装着するように設計してもよい。センサ部分および薬物送達部分は，連携して作動して生体内で化学物質または生理学的状態を感知し，センサ部分からの信号に少なくとも部分的に基づいて，治療上指示された１つまたはそれ以上の薬物を送達する。好ましい実施形態では，
センサユニットは，上に説明し，図１〜図５および図７〜図９に示すリザーバをベースとするセンサを有するマルチリザーバデバイスを備える
・・・
【００４５】
  
２部分デバイスの例を図６に示す。
・・・
【００４８】
  一実施形態では，
糖尿病の管理に用いるための機器
インスリン供給・送達ユニットと，グルコース監視（感知）ユニットと，両ユニットと連通する制御装置とを含む
グルコース監視ユニットは，選択的に除去可能なリザーバキャップで覆われた，各々が個々のグルコースセンサを備える別個のリザーバのアレイを備える。通常マイクロプロセッサを備える制御装置は，
グルコース監視ユニットの一部としてもよく，
制御装置は，患者の血糖値を監視することができ
制御装置は，各グルコースセンサの精度および安定性をも監視することができる。作動中のセンサが適切に読み取りを行っていない場合（例えばそれが故障したために），制御装置は，別のリザーバを開放して新たなセンサを露出するように監視ユニットに命令することができる。
図５
　
図６
　    
　上記図５，図５の説明[（１−エ）【００３３】]及び，「センサユニットは，上に説明し，図１〜図５および図７〜図９に示すリザーバをベースとするセンサを有するマルチリザーバデバイスを備える。」(１−オ)，「２部分デバイスの例を図６に示す。」(１−オ)と図６を含む態様の説明として記載された(１−オ)【００４８】の記載を参照し整理すると，上記刊行物１には，次の発明が記載されていると認められる。
「(a)　インスリン供給・送達ユニットと，グルコース監視（感知）ユニットと，両ユニットと連通する制御装置とを含む糖尿病の管理に用いるための埋め込み型医療デバイスのグルコース監視（感知）ユニットであって，
(b)　上記グルコース監視（感知）ユニットは，選択的に除去可能なリザーバキャップ１０２で覆われた，各々が個々のグルコースセンサを備える別個のリザーバ２４，１０３のアレイを備え，
(c)　通常マイクロプロセッサを備える制御装置は上記グルコース監視（感知）ユニットの一部であり，
(d)　患者の血糖値を監視することができる上記制御装置は，各グルコースセンサの精度および安定性をも監視することができ，
(e)　作動中のグルコースセンサが適切に読み取りを行っていない場合（例えばそれが故障したために），上記制御装置は，別のリザーバを開放して新たなグルコースセンサを露出するように上記グルコース監視（感知）ユニットに命令するもので，
(f)　上記グルコース監視（感知）ユニットのセンサデバイス１０９は，リザーバ２４，１０３を有する基板１００を含んでおり，該リザーバ２４，１０３は，作用電極１０６，対極１０８，酵素１１０，およびセンサ膜１１２を含むグルコースセンサを収容しており，
(g)　該リザーバ２４，１０３は，電気トレース１０４ａおよび１０４ｂに接続されたリザーバキャップ１０２で覆われており，
(h)　中空のキャビティ１１８が，センサ膜１１２の上および薄い誘電体または他の構造層１１６の下に設けられている上記リザーバキャップ１０２が崩壊される（例えば電熱焼灼によって）際に，誘電体／構造層１１６も破壊され，機能センサが露出し，作動するものである，グルコース監視（感知）ユニット 。」（以下，「引用発明」という。）
　
３　対比・判断　
　補正発明と引用発明とを対比する。
ア　
アー１　引用発明の「グルコースセンサ」は，「(a)糖尿病の管理に用いるための埋め込み型医療デバイスのグルコース監視（感知）ユニット」が備えているものであり，「選択的に除去可能なリザーバキャップ１０２で覆われた」ものであるから，補正発明の「(b)モニタリング目的のために別々に起動できるマイクロセンサ（１１，１２，１３，１４）」に相当する。
　
　ア−２　さらに，引用発明の「グルコース監視（感知）ユニット」は「(a)埋め込み型医療デバイス」のものであり，「(b)各々が個々のグルコースセンサを備える別個のリザーバ２４，１０３のアレイを備え」ているので，補正発明の「センサデバイス（１）が，」「マイクロセンサ（１１，１２，１３，１４）の配置を含んでなり，人体中の生物学的物質をインビボでモニタリングするために人体の皮下に埋め込まれるセンサデバイス（１）」に相当する
　
アー３　上記アー１，アー２を踏まえると，引用発明の「グルコース監視（感知）ユニット」は，補正発明の「センサデバイス（１）が，モニタリング目的のために別々に起動できるマイクロセンサ（１１，１２，１３，１４）の配置を含んでなり，人体中の生物学的物質をインビボでモニタリングするために人体の皮下に埋め込まれるセンサデバイス（１）」に相当する。
　
イ　
イ−１　引用発明の「制御装置」は，「(c)グルコース監視（感知）ユニットの一部であり」，「(e)　作動中のグルコースセンサが適切に読み取りを行っていない場合（例えばそれが故障したために）」，「別のリザーバ２４，１０３を開放して新たなグルコースセンサを露出するように上記グルコース監視（感知）ユニットに命令するもの」であるから，グルコースセンサの動作開始を命令するものといえる。
　
イ−２　また，引用発明は「(e)　作動中のグルコースセンサが適切に読み取りを行っていない場合（例えばそれが故障したために），上記制御装置は，別のリザーバ２４，１０３を開放して新たなグルコースセンサを露出するように上記グルコース監視（感知）ユニットに命令する」ものであるから，引用発明の「制御装置」は，グルコースセンサが故障したと認識した場合に，別の新たなグルコースセンサの動作開始を命令するものといえる。
　そうすると，引用発明の「制御装置」がグルコースセンサの制御機能を有するといえることは自明である。
イ−３　上記イー１，イー２を踏まえると，引用発明の「(c)　通常マイクロプロセッサを備える制御装置は上記グルコース監視（感知）ユニットの一部であり」，「(e)　作動中のグルコースセンサが適切に読み取りを行っていない場合（例えばそれが故障したために），上記制御装置は，別のリザーバ２４，１０３を開放して新たなグルコースセンサを露出するように上記グルコース監視（感知）ユニットに命令する」ものは，補正発明の「センサデバイスが，センサ配置のマイクロセンサを起動するように設計された制御機能を含んでなる制御デバイスを含んでなり，そして制御機能が１つのマイクロセンサが機能しないと判断した時点で制御機能が別のセンサを起動」するものに相当することは明らかである。
　
ウ　引用発明の「グルコース監視（感知）ユニット」は，「(b)選択的に除去可能なリザーバキャップで１０２覆われた，各々が個々のグルコースセンサを備える別個のリザーバ２４，１０３のアレイを備え」ることから，グルコースセンサを備えるリザーバキャップ１０２で覆われたリザーバ２４，１０３がアレイ状に複数あることは明らかである。
　また，引用発明の「リザーバキャップ１０２」は「(b)各々が個々のグルコースセンサ」を「覆う」ものであるから，補正発明の「カバー部材」に相当する。
　そうすると，引用発明の「(b)　上記グルコース監視（感知）ユニットは，選択的に除去可能なリザーバキャップ１０２で覆われた，各々が個々のグルコースセンサを備える別個のリザーバ２４，１０３のアレイを備え」ていることと，
補正発明の「配置のマイクロセンサ（１１，１２，１３，１４）が，複数のカバー部材（２２，２４）を備えたカバーを含むケース（３）内に配列され」ていることとは，
「配置のマイクロセンサが，複数のカバー部材（２２，２４）を備えたカバーを含む閉鎖空間に配列され」ている点で共通する。
　
エ　引用発明の「(f)　上記グルコース監視（感知）ユニットのセンサデバイス１０９は，リザーバ２４，１０３を有する基板１００を含んでおり，該リザーバ２４，１０３は，・・・グルコースセンサを収容しており，」「(g)　該リザーバ２４，１０３は，」「リザーバキャップ１０２で覆われて」いることから，引用発明の各グルコースセンサは，「リザーバ２４，１０３」内に収容され，「リザーバキャップ１０２で覆われて」いるといえる。
　そうすると，引用発明の「(f)　上記グルコース監視（感知）ユニットのセンサデバイス１０９は，リザーバ２４，１０３を有する基板１００を含んでおり，該リザーバ２４，１０３は，・・・グルコースセンサを収容しており，」「(g)　該リザーバは，」「リザーバキャップ１０２で覆われて」いることは，補正発明の「ここで，カバー部材の各々が，センサ（１１，１２，１３，１４）の１つの測定表面を覆って」いることに相当する。
　
オ　引用発明の「(g)　該リザーバは，電気トレース１０４ａおよび１０４ｂに接続されたリザーバキャップ１０２で覆われており，」「(h)・・・上記リザーバキャップ１０２が崩壊される（例えば電熱焼灼によって）際に，誘電体／構造層も破壊され，機能センサが露出し，作動するものである」ことは，リザーバキャップ１０２が，電気トレース１０４ａおよび１０４ｂを通した通電により崩壊され，その結果，機能センサが露出し，作動することであると読み取れるのであるから，リザーバキャップ１０２が取り去られるものであり，さらに，上記イ−１よりその通電の制御は上記制御装置が行うことは明らかであるから，
補正発明の「各カバー部材が，それぞれのカバー部材に隣接しているマイクロセンサを起動するために取り除かれ得るように設計されること，および，マイクロセンサ（１１，１２，１３，１４）の各カバー部材が，電気信号によってそれぞれのカバー部材が体内の物質に対してマイクロセンサの測定表面を開くように，電気的に制御可能であること」とは，
「各カバー部材が，それぞれのカバー部材に近接しているマイクロセンサを起動するために取り除かれ得るように設計されること，および，マイクロセンサの各カバー部材が，電気信号によってそれぞれのカバー部材が体内の物質に対してマイクロセンサの測定表面を開くように，電気的に制御可能であること」で共通する。
　
　そうすると，両者は，
「センサデバイスが，モニタリング目的のために別々に起動できるマイクロセンサの配置を含んでなり，人体中の生物学的物質をインビボでモニタリングするために人体の皮下に埋め込まれるセンサデバイスであって，センサデバイスが，センサ配置のマイクロセンサを起動するように設計された制御機能を含んでなる制御デバイスを含んでなり，そして制御機能が１つのマイクロセンサが機能しないと判断した時点で制御機能が別のセンサを起動し，配置のマイクロセンサが，複数のカバー部材を備えたカバーを含む閉鎖空間内に配列され，ここで，カバー部材の各々が，センサの１つの測定表面を覆っており，そして各カバー部材が，それぞれのカバー部材に近接しているマイクロセンサを起動するために取り除かれ得るように設計されること，および，マイクロセンサの各カバー部材が，電気信号によってそれぞれのカバー部材が体内の物質に対してマイクロセンサの測定表面を開くように，電気的に制御可能である，上記センサデバイス。」の点で一致し，以下の点で一応相違するといえる。
　
（相違点１）
　配置のマイクロセンサが配列されている，複数のカバー部材を備えたカバーを含む閉鎖空間について，補正発明では「ケース（３）」であるのに対して，引用発明では「リザーバ２４，１０３のアレイ」である点。
　
（相違点２）
　センサ（マイクロセンサ）の１つの測定表面を覆っている各カバー部材とそのカバー部材に近接しているマイクロセンサとの位置関係について，補正発明では，さらに「カバー部材に隣接しているマイクロセンサ」と限定しているのに対して，引用発明では，限定していない点。
　
（１）相違点１についての検討
　広辞苑第五版によると「ケース」とは「箱。入れ物」のことであり，その「入れ物」とは「物を入れる器物。容器。」のことである。
　そうすると，引用発明の「マイクロセンサ」は「リザーバ２４，１０３のアレイ」に配置されているのであるから，引用発明の「リザーバ２４，１０３のアレイ」は，マイクロセンサを入れる物であるといえ，すなわち，マイクロセンサの「ケース」とも認識できるものである。
　してみると，引用発明の「リザーバ２４，１０３のアレイ」も「ケース」といえるので，相違点１は，実質的な相違点ではない。
　
（２）相違点２についての検討
　上記摘記事項（１−イ）には「あるデバイスは，各々がグルコースオキシダーゼをベースとするセンサを収容する密集したリザーバのアレイ（例えば数十個または数百個の）を有することができる。」と記載され，上記摘記事項（１−ウ）にも「デバイス３０またはデバイス５０を備える医療デバイスは，それぞれ，数十個もしくは数百個のそのようなリザーバ／センサのアレイを備えるのが好ましい。」と記載されているように，引用発明の複数設けたセンサデバイス１０９の数について，数十個もしくは数百個設けることが明示されている。
　さらに，引用発明のグルコース監視（感知）ユニットは，体内に埋め込むのであるから，できるだけ小さく作られるものといえる。
　そうすると，各センサデバイス１０９は小さく各センサデバイス１０９の間隔も狭く，各センサデバイス１０９のカバー部材とマイクロセンサの間隔も狭いといえるので，各カバー部材はカバーしているセンサデバイス１０９に隣接しているといえる。
　してみると，相違点２は，実質的な相違点ではない。
　
　仮に相違点２が実質的な相違点であったとしても，引用発明のグルコース監視（感知）ユニットは，体内に埋め込むのであるから，できるだけ小さく作ろうとし，また，できるだけ取り換え回数を減らすために多数のセンサデバイスを設けようとすることは，当業者が常に念頭におく周知の課題といえるので，センサデバイスを小さく，その数を多くし，その結果各カバー部材はカバーしているセンサデバイス１０９に隣接するものとなることは当業者が容易に想到するものといえる。
　
（３）そして，補正発明の作用効果は，刊行物１記載の事項から，当業者予測し得る範囲内のものにすぎず，格別顕著なものともいえない。
　
（４）したがって，補正発明は引用発明であり，特許法２９条第１項第３号に該当し，または，補正発明は引用発明に基いて当業者が容易に発明をすることができたものであるというべきであり，特許法第２９条第２項の規定により，特許出願の際独立して特許を受けることができないものである。
　　　　
４　まとめ　　
　以上のとおりであるから，本件補正は，特許法第１７条の２第６項において準用する同法第１２６条第７項の規定に違反するので，同法第１５９条第１項の規定において読み替えて準用する同法第５３条第１項の規定により，却下すべきものである。　
　
第３　本願発明について　　
１　本願発明　　
　本件補正は，上記のとおり却下されたので，本願の請求項１〜１０に係る発明は，平成２６年１０月１６日付け手続補正書により補正された特許請求の範囲の請求項１〜１０に記載された事項により特定されたものであって，その請求項１に係る発明（以下，「本願発明」という。）は，次のとおりであると認める。　　
「　　【請求項１】
　センサデバイス（１）が，モニタリング目的のために別々に起動できるマイクロセンサ（１１，１２，１３，１４）の配置を含んでなり，人体中の生物学的物質をインビボでモニタリングするために人体の皮下に埋め込まれるセンサデバイス（１）であって，センサデバイスが，センサ配置のマイクロセンサを起動するように設計された制御機能を含んでなる制御デバイスを含んでなり，そして制御機能が１つのマイクロセンサが機能しないと判断した時点で制御機能が別のセンサを起動し，配置のマイクロセンサ（１１，１２，１３，１４）が，複数のカバー部材（２２，２４）を備えたカバーを含むケース（３）内に配列され，ここで，カバー部材の各々が，センサ（１１，１２，１３，１４）の１つの測定表面を覆っており，そして各カバー部材が，それぞれのカバー部材に隣接しているマイクロセンサを起動するために取り除かれ得るように設計されることを特徴とする，上記センサデバイス（１）。」
　
２　引用刊行物およびその記載事項　　
　本願出願前に頒布された刊行物１およびその記載事項は，上記「第２　２」に記載したとおりである。　　
　　　
３　当審の判断　　
　本願発明は，補正発明の「各カバー部材が，それぞれのカバー部材に隣接しているマイクロセンサを起動するために取り除かれ得るように設計されること
，および，マイクロセンサ（１１，１２，１３，１４）の各カバー部材が，電気信号によってそれぞれのカバー部材が体内の物質に対してマイクロセンサの測定表面を開くように，電気的に制御可能であること
　そうすると，本願発明の構成要件を全て含む補正発明が，上記「第２　３」において検討したとおり，引用発明である，または，引用発明に基いて，当業者が容易に発明をすることができたものであるから，本願発明も，同様の理由により，引用発明である，または，引用発明に基いて当業者が容易に発明をすることができたものであるというべきである。
　
第４　まとめ　　
　以上のとおり，本願発明は，特許法第２９条第１項第３号に該当し，または，特許法第２９条第２項の規定により特許を受けることができないから，その他の請求項について言及するまでもなく，本願は拒絶されるべきものである。　　
　よって，結論のとおり審決する。